(57)【要約】【課題】カセッテ収納袋を用いることなく、汚染を抑制することができる可搬型放射線撮影装置、可搬型放射線撮影装置の筐体カバー、収容装置、及び放射線撮影システムを提供する。【解決手段】電子カセッテ１２の筐体２０を、殺菌作用を有する光触媒で被覆し、収容装置１８で光触媒を活性化させる。【選択図】図１
2012123297.tif 000002
【特許請求の範囲】
【請求項１】
筐体に撮影の際に放射線が照射される撮影領域が設けられ、前記撮影領域に照射された放射線による放射線画像を撮影可能とされ、少なくとも前記撮影領域が殺菌作用を有する光触媒で被覆された可搬型放射線撮影装置。
【請求項２】
筐体に撮影の際に放射線が照射される撮影領域が設けられ、前記撮影領域に照射された放射線による放射線画像を撮影可能とされた可搬型放射線撮影装置を収容可能に筐体が形成され、当該筐体外面の少なくとも前記撮影領域に対応する部分が殺菌作用を有する光触媒で被覆された可搬型放射線撮影装置の筐体カバー。
【請求項３】
請求項１記載の可搬型放射線撮影装置及び請求項２記載の筐体カバーの少なくとも一方を収容する収容部と、
前記収容部に収容された前記可搬型放射線撮影装置及び前記筐体カバーの少なくとも一方に被覆された光触媒を活性化させる活性化手段と、
を備えた収容装置。
【請求項４】
前記光触媒を酸化チタンとし、
前記活性化手段は、５０℃以上の水による浸漬により光触媒を活性化させる
請求項３記載の収容装置。
【請求項５】
前記光触媒を酸化チタンとし、
前記活性化手段は、２００℃以上、３００℃以下の熱処理により光触媒を活性化させる
請求項３記載の収容装置。
【請求項６】
前記可搬型放射線撮影装置及び前記筐体カバーの少なくとも一方の筐体は、カーボン、ＣＦＲＰ、アルミの何れかで構成された
請求項５記載の収容装置。
【請求項７】
前記収容部は、前記筐体カバーを装着した状態の前記可搬型放射線撮影装置を収容可能とされた
請求項３〜請求項６の何れか１項記載の収容装置。
【請求項８】
前記収容部に収容された前記可搬型放射線撮影装置及び前記筐体カバーの少なくとも一方に対して紫外線を照射する照射手段と、
前記収容部に収容された前記可搬型放射線撮影装置の充電を行う充電手段と、
動作モードとして、前記可搬型放射線撮影装置のフル充電を行うフル充電モード、前記可搬型放射線撮影装置を指定された充電状態まで充電を行う設定充電モード、前記可搬型放射線撮影装置の除染を行う除染優先モード、前記可搬型放射線撮影装置への紫外線による殺菌及び紫外線の照射期間のみの充電を行うクイックモード、又は前記可搬型放射線撮影装置のフル充電と除染を共に行うフルモードの何れか指定を受け付ける受付手段と、
前記受付で受け付けた動作モードに従い、前記照射手段及び前記充電手段を制御する制御手段と、
を備えた請求項３〜請求項７の何れか１項記載の収容装置。
【請求項９】
前記可搬型放射線撮影装置は、放射線をＣｓＩを含んだ蛍光体により光に変換し、変換した光を光電変換素子で検出する間接変換方式の放射線検出器が内蔵された
を備えた請求項３〜請求項８の何れか１項記載の収容装置。
【請求項１０】
筐体に撮影の際に放射線が照射される撮影領域が設けられ、前記撮影領域に照射された放射線による放射線画像を撮影可能とされ、少なくとも前記撮影領域が殺菌作用を有する光触媒で被覆された可搬型放射線撮影装置と、
前記可搬型放射線撮影装置を収容する収容部、及び前記収容部に収容された前記可搬型放射線撮影装置に被覆された光触媒を活性化させる活性化手段を備えた収容装置と、
を有する放射線撮影システム。
【発明の詳細な説明】
【技術分野】
【０００１】
本発明は、可搬型放射線撮影装置、可搬型放射線撮影装置の筐体カバー、収容装置、及び放射線撮影システムに係り、特に、放射線画像を撮影可能な可搬型放射線撮影装置、可搬型放射線撮影装置の筐体カバー、可搬型放射線撮影装置を収容可能な収容部が形成された収容装置、可搬型放射線撮影装置と収容装置を有する放射線撮影システムに関する。
【背景技術】
【０００２】
近年、ＴＦＴ（Thin Film Transistor）アクティブマトリクス基板上に放射線感応層を配置し、Ｘ線などの放射線を直接デジタルデータに変換できるＦＰＤ（Flat Panel Detector）等の放射線検出器が実用化されており、この放射線検出器を用いて、照射された放射線により表わされる放射線画像を示す画像データを生成し、生成した画像データを記憶する可搬型放射線撮影装置（以下「電子カセッテ」ともいう）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
ところで、電子カセッテは、撮影の際に患者に接触し、雑菌などで汚染されてしまう場合がある。
【０００５】
この電子カセッテの汚染を防止するため、従来、カセッテ収納袋内に収容して撮影を行うことが行われている。例えば、特許文献１には、外光を遮光すると共に放射線を透過する材料により袋体を形成したカセッテ収納袋が記載されている。汚染を防止するため、カセッテ収納袋は、撮影後に破棄される。
【先行技術文献】
【特許文献】
【０００６】
【特許文献１】特開２０００−２６７２０９号公報
【発明の概要】
【発明が解決しようとする課題】
【０００７】
しかしながら、汚染を防止するため、このようにカセッテ収納袋を破棄した場合、ゴミ発生し、資源の有効活用にもならない。
【０００８】
本発明は上記事実に鑑みてなされたものであり、カセッテ収納袋を用いることなく、汚染を抑制することができる可搬型放射線撮影装置、可搬型放射線撮影装置の筐体カバー、収容装置、及び放射線撮影システムを提供することを目的とする。
【課題を解決するための手段】
【０００９】
上記目的を達成するために、請求項１に記載の可搬型放射線撮影装置は、筐体に撮影の際に放射線が照射される撮影領域が設けられ、前記撮影領域に照射された放射線による放射線画像を撮影可能とされ、少なくとも前記撮影領域が殺菌作用を有する光触媒で被覆されている。
【００１０】
このように、請求項１に記載の発明によれば、少なくとも撮影領域が殺菌作用を有する光触媒で被覆されているので、光触媒を活性化させることにより、カセッテ収納袋を用いることなく、汚染を抑制することができる。
【００１１】
一方、上記目的を達成するために、請求項２に記載の可搬型放射線撮影装置の筐体カバーは、筐体に撮影の際に放射線が照射される撮影領域が設けられ、前記撮影領域に照射された放射線による放射線画像を撮影可能とされた可搬型放射線撮影装置を収容可能に筐体が形成され、当該筐体外面の少なくとも前記撮影領域に対応する部分が殺菌作用を有する光触媒で被覆されている。
【００１２】
このように、請求項２に記載の発明によれば、可搬型放射線撮影装置を収容可能に形成された筐体の少なくとも可搬型放射線撮影装置の撮影領域に対応する部分が殺菌作用を有する光触媒で被覆されているので、光触媒を活性化させることにより、カセッテ収納袋を用いることなく、汚染を抑制することができる。
【００１３】
一方、上記目的を達成するために、請求項３に記載の収容装置は、請求項１記載の可搬型放射線撮影装置及び請求項２記載の筐体カバーの少なくとも一方を収容する収容部と、前記収容部に収容された前記可搬型放射線撮影装置及び前記筐体カバーの少なくとも一方に被覆された光触媒を活性化させる活性化手段と、を備えている。
【００１４】
請求項３に記載の発明は、収容部が、請求項１記載の可搬型放射線撮影装置及び請求項２記載の筐体カバーの少なくとも一方を収容可能とされており、活性化手段により、収容部に収容された可搬型放射線撮影装置及び筐体カバーの少なくとも一方に被覆された光触媒が活性化される。
【００１５】
このように、請求項３に記載の発明によれば、収容部に収容された可搬型放射線撮影装置及び筐体カバーの少なくとも一方に被覆された光触媒を活性化させることにより、カセッテ収納袋を用いることなく、汚染を抑制することができる。
【００１６】
なお、本発明は、請求項４記載の発明のように、前記光触媒を酸化チタンとし、前記活性化手段が、５０℃以上の水による浸漬により光触媒を活性化させてもよい。
【００１７】
また、本発明は、請求項５記載の発明のように、前記光触媒を酸化チタンとし、前記活性化手段が、２００℃以上、３００℃以下の熱処理により光触媒を活性化させてもよい。
【００１８】
また、請求項５記載の発明は、請求項６記載の発明のように、前記可搬型放射線撮影装置及び前記筐体カバーの少なくとも一方の筐体が、カーボン、ＣＦＲＰ（carbon fiber reinforced plastics）、アルミの何れかで構成されることが好ましい。
【００１９】
また、本発明は、請求項７記載の発明のように、前記収容部は、前記筐体カバーを装着した状態の前記可搬型放射線撮影装置を収容可能とされてもよい。
【００２０】
また、本発明は、請求項８記載の発明のように、前記収容部に収容された前記可搬型放射線撮影装置及び前記筐体カバーの少なくとも一方に対して紫外線を照射する照射手段と、前記収容部に収容された前記可搬型放射線撮影装置の充電を行う充電手段と、動作モードとして、前記可搬型放射線撮影装置のフル充電を行うフル充電モード、前記可搬型放射線撮影装置を指定された充電状態まで充電を行う設定充電モード、前記可搬型放射線撮影装置の除染を行う除染優先モード、前記可搬型放射線撮影装置への紫外線による殺菌及び紫外線の照射期間のみの充電を行うクイックモード、又は前記可搬型放射線撮影装置のフル充電と除染を共に行うフルモードの何れか指定を受け付ける受付手段と、前記受付で受け付けた動作モードに従い、前記照射手段及び前記充電手段を制御する制御手段と、を備えてもよい。
【００２１】
また、本発明は、請求項９記載の発明のように、前記可搬型放射線撮影装置が、放射線をＣｓＩを含んだ蛍光体により光に変換し、変換した光を光電変換素子で検出する間接変換方式の放射線検出器を内蔵することが好ましい。
【００２２】
一方、上記目的を達成するために、請求項１０に記載の放射線撮影システムは、筐体に撮影の際に放射線が照射される撮影領域が設けられ、前記撮影領域に照射された放射線による放射線画像を撮影可能とされ、少なくとも前記撮影領域が殺菌作用を有する光触媒で被覆された可搬型放射線撮影装置と、前記可搬型放射線撮影装置を収容する収容部、及び前記収容部に収容された前記可搬型放射線撮影装置に被覆された光触媒を活性化させる活性化手段を備えた収容装置と、を有している。
【００２３】
このように、請求項１０に記載の発明によれば、少なくとも前記撮影領域が殺菌作用を有する光触媒で被覆された可搬型放射線撮影装置の光触媒を収容装置で活性化させることにより、カセッテ収納袋を用いることなく、汚染を抑制することができる。
【発明の効果】
【００２４】
本発明によれば、カセッテ収納袋を用いることなく、汚染を抑制することができる、という効果が得られる。
【図面の簡単な説明】
【００２５】
【図１】実施の形態に係る放射線撮影システムの構成を示す図である。
【図２】放射線画像撮影時の電子カセッテの配置を示す概略図である。
【図３】実施の形態に係る電子カセッテの内部構造を示す斜視図である。
【図４】実施の形態に係る収容装置の構成を示す透過斜視図である。
【図５】実施の形態に係る収容装置の構成を示す断面図である。
【図６】実施の形態に係る収容装置の構成を示すブロック図である。
【図７】実施の形態に係る制御処理プログラムの処理の流れを示すフローチャートである。
【図８】ＣｓＩの累積被曝量と感度の関係を示すグラフである。
【図９】他の形態に係る筐体カバーの構造を示す図である。
【図１０】他の形態に係る筐体カバーの構造を示す図である。
【図１１】他の形態に係る収容装置の構成を示す断面図である。
【発明を実施するための形態】
【００２６】
以下、図面を参照して、本発明を実施するための形態について詳細に説明する。なお、ここでは、本発明を、電子カセッテを用いて放射線画像の撮影を行う放射線撮影システムに適用した場合の形態例について説明する。
【００２７】
図１には、本実施の形態に係る放射線撮影システム１０を示す斜視図が示されている。
【００２８】
放射線撮影システム１０は、可搬性を有し、照射された放射線により表わされる放射線画像を示す画像情報を生成する電子カセッテ１２と、電子カセッテ１２が収容可能とされ、収容した電子カセッテ１２を充電する収容装置１８と、を含んで構成されている。
【００２９】
図２に示すように、電子カセッテ１２は、放射線画像の撮影時に、放射線を発生する放射線発生部１４と間隔を空けて配置される。このときの放射線発生部１４と電子カセッテ１２との間は被写体１６が位置するための撮影位置とされており、放射線画像の撮影が指示されると、放射線発生部１４は予め与えられた撮影条件等に応じた放射線量の放射線を射出する。放射線発生部１４から射出された放射線は、撮影位置に位置している被写体１６を透過することで画像情報を担持した後に電子カセッテ１２に照射される。
【００３０】
図３には、本実施の形態に係る電子カセッテ１２の内部構成を示す透過斜視図が示されている。
【００３１】
電子カセッテ１２は、放射線Ｘを透過させる材料から成り厚みを有する平板状の筐体２０によって覆われている。
【００３２】
筐体２０のうちの特定の側面２０Ａには電子カセッテ１２を持ち上げる際に手で持つことできるように把持部１３が設けられている。なお、本実施の形態に係る電子カセッテ１２は、筐体２０に把持部１３が設けられているが、把持部１３が必ずしも設けられているものではない。
【００３３】
筐体２０の内部には、放射線検出器２６が設けられている。筐体２０は、平板状の一方の面の放射線検出器２６の配設位置に対応する領域が放射線画像を撮影可能な四辺形状の撮影領域２２とされている。
【００３４】
放射線検出器２６は、例えば、放射線Ｘを直接、セレンを主成分（例えば含有率５０％以上）とする非晶質のアモルファスセレン（ａ−Ｓｅ）から成る半導体層で電荷に変換して蓄積する直接変換方式のものでもよく、放射線Ｘを一度ガドリニウム硫酸化物（ＧＯＳ）やヨウ化セシウム（ＣｓＩ）などのシンチレータで光に変換し、変換した光を光電変換素子（フォトダイオード）で電荷に変換して蓄積する間接変換方式のものであってもよい。
【００３５】
本実施の形態では、間接変換方式の放射線検出器２６を用いている。放射線検出器２６は、放射線Ｘを光に変換するシンチレータ２７と、変換した光を電荷に変換する光電変換素子が形成されたＴＦＴ基板２８が積層されて構成されている。放射線検出器２６は、筐体２０の撮影領域２２を構成する天板部分にＴＦＴ基板２８側が天板側となるように貼付けられている。
【００３６】
また、筐体２０の内部の一端側には、マイクロコンピュータを含む電子回路及び充電可能な二次電池を収容するケース３０が配置されている。放射線検出器２６及び電子回路は、ケース３０に配置された二次電池から供給される電力によって作動する。ケース３０内部に収容された各種回路が放射線Ｘの照射に伴って損傷することを回避するため、ケース３０の撮影領域２２側には鉛板等を配設しておくことが望ましい。
【００３７】
また、電子カセッテ１２の筐体３０の側面２０Ａのケース３０に対応する位置には、二次電池に充電を行うための接続端子３１が設けられている。
【００３８】
本実施の形態に係る電子カセッテ１２は、雑菌などによる汚染を防止するため、把持部１３を含む筐体２０全面を殺菌作用を有する光触媒で被覆されている。具体的には、筐体２０全面を酸化チタンにより被覆されている。
【００３９】
図４には、本実施の形態に係る収容装置１８の構成を示す透過斜視図が示され、図５には、本実施の形態に係る収容装置１８の構成を示す断面図が示されている。
【００４０】
収容装置１８は、矩形な箱状とされており、上面３５に電子カセッテ１２を収容可能に収容部４０が形成されている。また、収容装置１８は、上面３５に電子カセッテ１２の充電を行うための充電ケーブル３６が設けられている。さらに、収容装置１８は、上面３５に操作パネル３７が設けられ、側面３８に表示部３９が設けられている。
【００４１】
電子カセッテ１２は、充電ケーブル３６の端子３６Ａが接続端子３１に接続されることにより、内蔵された二次電池に充電が行われる。
【００４２】
収容部４０は、内部が電子カセッテ１２よりも広い幅に形成されており、上面３５部分が狭くほぼ電子カセッテ１２の幅となるように形成されている。
【００４３】
収容部４０の各内側面４２には、収納された状態の電子カセッテ１２に紫外光を照射する複数の紫外光源４３がマトリクス状に設けられ、さらに紫外光源４３から入射した紫外線を拡散させて面発光させる導光板４４が設けられている。
【００４４】
収容部４０内は、液体を貯留することが可能なように防水構造がされている。また、収容部４０の底面４１には水を注入するための注入口４５及び注入された水を排出するための排出口４６が設けられている。
【００４５】
また、収容部４０の内側面４２の上部の入口付近には、空気を吹き付けるブロワ４７が設けられている。
【００４６】
さらに、収容部４０の入口部分には、光を出射し、出射した光の反射率の変化に基づいて電子カセッテ１２が収容部４０に収容されたか否かを検出する光学式のセンサ４８が設けられている。なお、本実施の形態では、センサ４８を光学式のものとしたがメカニカルスイッチを用いてもよい。
【００４７】
図６には、本実施形態に係る収容装置１８の構成が示されている。
【００４８】
収容装置１８は、液体を貯留したタンク５２と、タンク５２に貯留された液体を注入口４５に送液するためのポンプ５４と、ファンモータ５６と、充電ケーブル３６を介して電子カセッテ１２への充電を行う充電部５８と、装置全体の動作を司る制御部６０と、を備えている。
【００４９】
収容装置１８の側面には、供給口６２が設けられている。供給口６２は配管６３を介してタンク５２に接続されており、供給口６２に供給された液体は配管６３を介してタンク５２に貯留される。なお、本実施の形態では、供給口６２に液体として水が供給され、タンク５２内に水が貯留されるものとするが、アルコールを含んだ消毒液が供給されるものとしてもよい。
【００５０】
タンク５２内には、ヒータ５３が内蔵されており、タンク５２に貯留された水を所定の温度に温めることが可能とされている。
【００５１】
注入口４５は、配管６４を介してポンプ５４に接続されており、ポンプ５４から送液された水を収容部４０内に供給する。また、排出口４６は、配管６５に接続されている。配管６５は、電磁バルブ６６が設けられており、装置外の排出口６７と接続されている。排出口４６は、電磁バルブ６６が開状態とされることにより、収容部４０内の水を装置外へ排出する。
【００５２】
本実施の形態に係る収容装置１８は、ファンモータ５６が駆動することによりブロワ４７から空気を噴出させることが可能とされている。
【００５３】
上記紫外光源４３、センサ４８、ポンプ５４、充電部５８、ファンモータ５６、電磁バルブ６６、及び充電状態検出部５９は制御部６０に接続されている。
【００５４】
上記センサ４８、ポンプ５４、ファンモータ５６、電磁バルブ６６、及び電力供給部４６は制御部６０と接続されている。
【００５５】
充電部５８には、充電状態検出部５９が内蔵されている。充電状態検出部５９は、電子カセッテ１２に充電ケーブル３６が接続された際に、充電ケーブル３６の電圧レベルから電子カセッテ１２に内蔵された二次電池の充電状態を検出し、充電状態を示す情報を制御部６０へ出力する。
【００５６】
制御部６０は、マイクロコンピュータによって実現されており、ＣＰＵ（中央処理装置）６０Ａ、ＲＯＭ（Read Only Memory）及びＲＡＭ（Random Access Memory）を含むメモリ６０Ｂ、フラッシュメモリ等からなる不揮発性の記憶部６０Ｃを備えている。
【００５７】
制御部６０は、紫外光源４３の点灯の制御、ポンプ５４の駆動の制御、ファンモータ５６の駆動の制御、電磁バルブ６６の開閉状態の制御、充電部５８による電子カセッテ１２に内蔵された二次電池への充電の制御、及び充電状態検出部５９による電子カセッテ１２に内蔵された二次電池の充電状態の検出の制御、を行うことができる。また、制御部６０は、センサ４８からの信号に基づいて電子カセッテ１２が収容部４０に収容されたか否かを検出している。
【００５８】
また、制御部６０は、操作パネル３７及び表示部３９が接続されており、操作パネル３７に対する操作内容を把握と表示部３９への各種情報の表示の制御を行うことができる。
【００５９】
次に、本実施の形態に係る収容装置１８の作用について説明する。
【００６０】
収容装置１８は、充電ケーブル３６の端子３６Ａが電子カセッテ１２の接続端子３１に接続されることにより、内蔵された二次電池に充電への充電を行うことが可能とされている。
【００６１】
また、収容装置１８は、収容部４０に収容された電子カセッテ１２を水に浸漬させて電子カセッテ１２の筐体２０の光触媒を活性化させ、紫外線を照射することにより電子カセッテ１２の筐体２０の除染を行うことが可能とされている。
【００６２】
さらに、収容装置１８は、電子カセッテ１２の充電や除染を行う動作モードとして、電子カセッテ１２に内蔵された二次電池のフル充電を行うフル充電モード、電子カセッテ１２に内蔵された二次電池を指定された充電状態まで充電を行う設定充電モード、電子カセッテ１２の除染を行う除染優先モード、紫外線による殺菌及び紫外線の照射期間のみの充電を行うクイックモード、及び電子カセッテ１２に内蔵された二次電池のフル充電と電子カセッテ１２の除染を共に行うフルモードを備えている。収容装置１８は、操作パネル３７から動作モードを指定することが可能とされている。
【００６３】
ユーザは、電子カセッテ１２の充電を行う場合や電子カセッテ１２の筐体２０の除染を行う場合、収容装置１８の収容部４０に電子カセッテ１２を収容し、充電ケーブル３６の端子３６Ａを電子カセッテ１２の接続端子３１に接続する。そして、ユーザは、収容装置１８の操作パネル３７に対して動作モードとして、フル充電モード、設定充電モード、除染優先モード、クイックモード、及びフルモードの何れか指定を行い、設定充電モードを指定した場合、さらに充電する充電割合を指定する。
【００６４】
制御部６０は、動作モードが指定されると、後述する制御処理を行って電子カセッテ１２の充電及び除染を行う。
【００６５】
図７には、制御部６０のＣＰＵ６０Ａにより実行される制御処理プログラムの処理の流れを示すフローチャートが示されている。なお、当該プログラムはメモリ６０ＢのＲＯＭの所定の領域に予め記憶されている。
【００６６】
ステップＳ１０では、センサ４８によって電子カセッテ１２が収容部４０に収容されているか否かの検出を行い、肯定判定となった場合はステップＳ１４へ移行し、否定判定となった場合はステップＳ１２へ移行する。
【００６７】
ステップＳ１２では、収容部４０に電子カセッテ１２が収容されていない旨の警告メッセージを表示部３９に表示し、処理終了となる。
【００６８】
次のステップＳ１４では、充電部５８を制御して充電ケーブル３６を介して電子カセッテ１２に電力を供給し、電子カセッテ１２に内蔵された二次電池の充電を開始する。
【００６９】
次のステップＳ１６では、指定された動作モードがフルモードか否かを判定し、肯定判定とった場合はステップＳ２４へ移行し、否定判定となった場合はステップＳ１８へ移行する。
【００７０】
ステップＳ１８では、指定された動作モードが除染優先モードか否かを判定し、肯定判定とった場合はステップＳ４０へ移行し、否定判定となった場合はステップＳ２０へ移行する。
【００７１】
ステップＳ２０では、指定された動作モードがフル充電モードか否かを判定し、肯定判定とった場合はステップＳ５０へ移行し、否定判定となった場合はステップＳ２２へ移行する。
【００７２】
ステップＳ２２では、指定された動作モードが設定充電モードか否かを判定し、肯定判定とった場合はステップＳ７０へ移行し、否定判定となった場合はステップＳ９０へ移行する。なお、このステップＳ２２が否定判定となるのは、指定された動作モードがクイックモードの場合である。
【００７３】
ここで、光触媒として筐体２０に被覆された酸化チタンは、２００℃以上の熱処理或いは、５０℃以上の水で浸漬処理されることにより活性化される。活性化された光触媒は、紫外線が照射されると、その表面から電子が飛び出し、電子が抜け出た穴に正孔（ホール）が発生する。発生した正孔は、強い酸化力をもち、水中にあるＯＨ−（水酸化物イオン）などから電子を奪い、電子を奪われたＯＨラジカルを発生させる。このＯＨラジカルは、強力な酸化力を持ち、有機物から電子を奪って自分自身が安定になろうとする。この様にして電子を奪われた有機物は、結合を分断され、最終的には酸化炭素や水となり大気中に発散される。
【００７４】
このため、電子カセッテ１２は、筐体２０に被覆された光触媒を活性化させた後に、紫外線を照射することにより筐体２０のタンパク質等を分解する除染効果は著しく増加する。これにより、例えば、撮影領域２２に血液が付着した場合でも、光触媒を活性化させ、紫外線を照射することにより、取り除くことができ、また、付着したタンパク質等の汚れを除去するために擦る必要がないため、撮影領域２２が傷つくことを低減できる。
【００７５】
また、光触媒は、種類に応じて活性化に必要な温度が異なる。例えば、酸化チタンは、３０℃の水では活性化させることができず、５０℃以上の水で活性化でき、水温の上昇と共に除染効果が増大する。また、光触媒は、種類に応じて活性化に必要な浸漬時間も異なる。例えば、酸化チタンは、５０℃以上の水に３０分以上浸すことにより活性化される。
【００７６】
そこで、ステップＳ２４では、光触媒を活性化可能な温度の水で電子カセッテ１２を光触媒を活性化させることが可能な所定期間だけ少なくとも浸漬させる浸漬処理を行う。具体的には、ポンプ５４を制御してタンク５２内の水を注入口４５から収容部４０に供給して電子カセッテ１２を５０℃以上の水に所定期間として３０分間浸漬させ、浸漬を開始してから３０分経過後、電磁バルブ６６を開状態に制御して収容部４０内の水を排出させる。
【００７７】
次のステップＳ２６では、ファンモータ５６を所定の乾燥期間、回転駆動させてブロワ４７から空気が噴出させ、電子カセッテ１２の乾燥を行う。この乾燥期間は、電子カセッテ１２を乾燥させるために必要な期間に予め定められている。
【００７８】
ステップＳ２８では、各紫外光源４３を発光させて電子カセッテ１２に紫外光を所定の照射期間、照射し、電子カセッテ１２の除染を行う。この照射期間は、紫外線の照射強度に応じて電子カセッテ１２を除染するために必要な期間（紫外線の照射強度が０．５ｍＷ／ｃｍ２の場合、例えば、２時間）に予め定められている。
【００７９】
これにより、電子カセッテ１２は、筐体２０に被覆された光触媒が活性しているため、筐体２０に付着した有機物が分解される。
【００８０】
ステップＳ３０では、充電状態検出部５９を制御して電子カセッテ１２に内蔵された二次電池の充電状態の検出を行う。
【００８１】
次のステップＳ３２では、上記ステップＳ３０で検出された電子カセッテ１２に内蔵された二次電池の充電状態がフル充電状態であるか否かを判定し、肯定判定となった場合はステップＳ３４へ移行し、否定判定となった場合は再度ステップＳ３２へ移行して充電待ちを行う。
【００８２】
次のステップＳ３４では、フルモードの処理が完了した旨の完了メッセージを表示部３９に表示する。
【００８３】
次のステップＳ３６では、充電部５８を制御して充電ケーブル３６を介して電子カセッテ１２への電力供給を停止し、処理終了となる。
【００８４】
一方、ステップＳ４０では、上記ステップＳ２６と同様に、浸漬処理を行う。次のステップＳ４２では、上記ステップＳ２６と同様に、ファンモータ５６を所定の乾燥期間、回転駆動させてブロワ４７から空気が噴出させ、電子カセッテ１２の乾燥を行う。次のステップＳ４４では、上記ステップＳ２８と同様に、各紫外光源４３を発光させて電子カセッテ１２に紫外光を所定の照射期間、照射し、電子カセッテ１２の除染を行う。
【００８５】
次のステップＳ４６では、除染優先モードの処理が完了した旨の完了メッセージを表示部３９に表示した後、ステップＳ３６へ移行する。
【００８６】
一方、ステップＳ５０では、充電状態検出部５９を制御して電子カセッテ１２に内蔵された二次電池の充電状態の検出を行う。
【００８７】
次のステップＳ５２では、上記ステップＳ５０で検出された二次電池の充電状態から二次電池がフル充電となるための充電期間を求める。この充電期間は、例えば、二次電池の各充電状態毎にフル充電に必要な充電期間をフル充電期間情報として記憶部６０Ｃに記憶しておき、上記ステップＳ５０で検出された二次電池の充電状態に対応する充電期間をフル充電期間情報から特定することにより求める。
【００８８】
次のステップＳ５４では、上記ステップＳ５２で求めた充電期間が光触媒を活性化させることが可能な所定期間以上か否かを判定し、肯定判定となった場合はステップＳ５６へ移行し、否定判定となった場合はステップＳ６２へ移行する。
【００８９】
ステップＳ５６では、上記ステップＳ２６と同様に、浸漬処理を行う。次のステップＳ５８では、上記ステップＳ２６と同様に、ファンモータ５６を所定の乾燥期間、回転駆動させてブロワ４７から空気が噴出させ、電子カセッテ１２の乾燥を行う。次のステップＳ６０では、上記ステップＳ２８と同様に、各紫外光源４３を発光させて電子カセッテ１２に紫外光を所定の照射期間、照射し、電子カセッテ１２の除染を行う。
【００９０】
次のステップＳ６２では、充電状態検出部５９を制御して電子カセッテ１２に内蔵された二次電池の充電状態の検出を行う。
【００９１】
次のステップＳ６４では、上記ステップＳ６２で検出された電子カセッテ１２に内蔵された二次電池の充電状態がフル充電状態であるか否かを判定し、肯定判定となった場合はステップＳ６６へ移行し、否定判定となった場合は再度ステップＳ６４へ移行して充電待ちを行う。
【００９２】
ステップＳ６６では、フル充電モードの処理が完了した旨の完了メッセージを表示部３９に表示した後、ステップＳ３６へ移行する。
【００９３】
一方、ステップＳ７０では、充電状態検出部５９を制御して電子カセッテ１２に内蔵された二次電池の充電状態の検出を行う。
【００９４】
次のステップＳ７２では、上記ステップＳ７０で検出された二次電池の充電状態から二次電池が、設定充電モードにおいてユーザにより指定された充電割合となるための充電期間を求める。この充電期間は、例えば、充電割合別に、二次電池の各充電状態毎に充電に必要な充電期間を充電割合別充電期間情報として記憶部６０Ｃに記憶しておき、上記ステップＳ７０で検出された二次電池の充電状態、及び指定された充電割合に対応する充電期間を充電割合別充電期間情報から特定することにより求める。
【００９５】
次のステップＳ７４では、上記ステップＳ７２で求めた充電期間が光触媒を活性化させることが可能な所定期間以上か否かを判定し、肯定判定となった場合はステップＳ７６へ移行し、否定判定となった場合はステップ８２へ移行する。
【００９６】
ステップＳ７６では、上記ステップＳ２６と同様に、浸漬処理を行う。次のステップＳ７８では、上記ステップＳ２６と同様に、ファンモータ５６を所定の乾燥期間、回転駆動させてブロワ４７から空気が噴出させ、電子カセッテ１２の乾燥を行う。次のステップＳ８０では、上記ステップＳ２８と同様に、各紫外光源４３を発光させて電子カセッテ１２に紫外光を所定の照射期間、照射し、電子カセッテ１２の除染を行う。
【００９７】
次のステップＳ８２では、充電状態検出部５９を制御して電子カセッテ１２に内蔵された二次電池の充電状態の検出を行う。
【００９８】
次のステップＳ８４では、上記ステップＳ８２で検出された電子カセッテ１２に内蔵された二次電池の充電状態が指定された充電割合以上であるか否かを判定し、肯定判定となった場合はステップＳ８６へ移行し、否定判定となった場合は再度ステップＳ８４へ移行して充電待ちを行う。
【００９９】
ステップＳ８６では、設定充電モードの処理が完了した旨の完了メッセージを表示部３９に表示した後、ステップＳ３６へ移行する。
【０１００】
一方、ステップＳ９０では、各紫外光源４３を発光させて電子カセッテ１２に紫外光を所定の照射期間（数分程度）、照射して電子カセッテ１２の紫外線による殺菌を行う。
【０１０１】
ここで、紫外線の照射による殺菌と光触媒による殺菌の違いについて説明する。
【０１０２】
紫外線照射では細菌のＤＮＡ（Deoxyribonucleic acid）を損傷し増殖機能を奪うことで、細菌を不活化させる。しかし、不活化された細菌は、可視光線を照射するとＤＮＡの損傷が修復され増殖機能が復活する場合がある。
【０１０３】
一方、光触媒による殺菌、ＯＨラジカルの強烈な酸化力により、細菌の細胞壁や酵素を直接破壊するため、増殖機能が回復することが無い。このため、光触媒による殺菌の方が汚染を抑制することができる
次のステップＳ９２では、クイックモードの処理が完了した旨の完了メッセージを表示部３９に表示した後、ステップＳ３６へ移行する。
【０１０４】
以上のように、本実施の形態よれば、電子カセッテ１２の筐体２０を、殺菌作用を有する光触媒で被覆し、収容装置１８で５０℃以上の水に浸して光触媒を活性化させることにより、カセッテ収納袋を用いることなく、汚染を抑制することができる。
【０１０５】
また、本実施の形態よれば、光触媒を酸化チタンとしたことにより、５０℃以上の水による浸漬により光触媒を活性化させることができる。
【０１０６】
また、本実施の形態よれば、収容装置１８が動作モードとして、フル充電モード、設定充電モード、除染優先モード、クイックモード、フルモードを備えおり、動作モードを指定可能であるため、ユーザが状況に応じて適切な動作モードを指定することにより、ユーザが状況に応じた充電及び除染を行うことができる。
【０１０７】
また、放射線検出器２６のシンチレータ２７は、ＣｓＩにより構成した場合、図８に示すように、連続して撮影が行われて累積被曝量の増加と共に感度が低下し、放射線が照射されない状態で維持されると低下した感度が回復する。また、ＣｓＩは、高温環境に保存することで、低下した感度が早く回復する。
【０１０８】
このため、本実施の形態よれば、シンチレータ２７の感度が低下した場合でも低下した感度が早く回復させることができる。
【０１０９】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１１０】
例えば、上記実施の形態では、電子カセッテ１２の筐体２０全面を光触媒で被覆した場合について説明したが、本発明はこれに限定されるものではない。例えば、撮影領域２２や、筐体２０の撮影対象者及び撮影者が接触する領域など筐体２０の一部のみを光触媒で被覆するものとしてもよい。
【０１１１】
また、上記実施の形態では、電子カセッテ１２の筐体２０を光触媒で被覆した場合について説明したが、本発明はこれに限定されるものではない。図９（Ａ）（Ｂ）に示すように、例えば、電子カセッテ１２を、所謂、ジャケット（外部強化筐体）などの電子カセッテ１２を保護するための筐体カバー８０にセットして使用する場合、筐体カバー８０を光触媒で被覆するようにしてもよい。
【０１１２】
この場合、収容装置１８は、筐体カバー８０がセットされた状態の電子カセッテ１２を収容可能に収容部４０が形成され、筐体カバー８０がセットされた状態の電子カセッテ１２の除染を行うものとしてもよい。また、収容装置１８は、筐体カバー８０のみを収容可能に収容部４０がされ、筐体カバー８０のみの除染を行うものとしてもよい。なお、筐体カバー８０は、図１０に示すように、電子カセッテ１２の筐体２０の撮影領域２２部分のみを保護するものとしてもよい。
【０１１３】
また、上記実施の形態では、５０℃以上の水による浸漬により光触媒を活性化させる場合について説明したが、本発明はこれに限定されるものではない。例えば、図１１に示すように、収容装置１８の収容部４０に液体を噴出するノズル９０を設け、ノズル９０から５０℃以上の水を電子カセッテ１２の筐体２０に噴射することにより光触媒を活性化させてもよい。また、例えば、熱処理により光触媒を活性化させてもよい。光触媒を酸化チタンとした場合、２００℃以上の熱処理により光触媒を活性化させることができる。そこで、収容装置１８の収容部４０にヒータなどの加熱手段を設け、加熱手段からの熱処理により２００℃以上に加熱して光触媒を活性化させてもよい。なお、電子カセッテ１２の筐体２０をカーボン、ＣＦＲＰ、アルミの何れかで構成した場合、熱処理による筐体２０の変形等を抑制するため、２００℃以上、３００℃以下の熱処理により光触媒を活性化させることが好ましい。
【０１１４】
また、上記実施の形態では、放射線としてＸ線を検出することにより放射線画像を撮影する放射線撮影装置に本発明を適用した場合について説明したが、本発明はこれに限定されるものではない。例えば、検出対象とする放射線は、Ｘ線の他、ガンマ線、粒子線等いずれであってもよい。
【０１１５】
その他、上記実施の形態で説明した構成は一例であり、本発明の主旨を逸脱しない範囲内において、不要な部分を削除したり、新たな部分を追加したり、接続状態等を変更したりすることができることは言うまでもない。
【符号の説明】
【０１１６】
１０    放射線撮影システム
１２    電子カセッテ
１８    収容装置
２０    筐体
２２    撮影領域
３６    充電ケーブル（充電手段）
３７    操作パネル（受付手段）
４０    収容部
４３    紫外光源（照射手段）
４４    導光板（照射手段）
５２    タンク（活性化手段）
５３    ヒータ（活性化手段）
５４    ポンプ（活性化手段）
６０    制御部（制御手段）
【図１】
2012123297.tif 000003
【図２】
2012123297.tif 000004
【図３】
2012123297.tif 000005
【図４】
2012123297.tif 000006
【図５】
2012123297.tif 000007
【図６】
2012123297.tif 000008
【図７】
2012123297.tif 000009
【図８】
2012123297.tif 000010
【図９】
2012123297.tif 000011
【図１０】
2012123297.tif 000012
【図１１】
2012123297.tif 000013